(57)【要約】      （修正有）【課題】人工授精や人工授粉の成功率を向上させる方法及び冷凍緩衝剤の提供。【解決手段】カミオニシキ貝の化石である貝化石の微粒子と水との混合液から、沈殿物と上澄液とを分離１０４し、この上澄液をソマチッド含有水とし、これを、精子を含む精液に混合１０６して、混合精液として卵子に接触させて受精１０８させる。【選択図】図１
2006320658.tif 000002
【特許請求の範囲】
【請求項１】
精子を含む精液に古代ソマチッドを混合して混合精液とし、この混合精液を、卵子に接触させて受精させることを特徴とする動物の人工授精方法。
【請求項２】
請求項１において、
前記精液を、古代ソマチッドを含む冷凍緩衝剤と共に凍結させておき、授精時に解凍させることを特徴とする動物の人工授精方法。
【請求項３】
請求項１又は２において、
前記古代ソマチッドは、２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドからなることを特徴とする動物の人工授精方法。
【請求項４】
請求項１乃至３のいずれかにおいて、前記古代ソマチッド含有水に、酢酸、希塩酸、クエン酸、リンゴ酸を含む、人体に無害な弱酸のいずれか少なくとも一種類を溶かした弱酸性水を加えて、古代ソマチッド水をＰＨ７．５程度の弱アルカリとすることを特徴とする動物の人工授精方法。
【請求項５】
２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状のソマチッドを含む精子冷凍保存用冷凍緩衝剤。
【請求項６】
請求項５において、
前記古代ソマチッド含有水に、酢酸、希塩酸、クエン酸、リンゴ酸を含む、人体に無害な弱酸のいずれか少なくとも一種類を溶かした弱酸性水を加えて、古代ソマチッド水をＰＨ７．５程度の弱アルカリとすることを特徴とする精子冷凍保存用冷凍緩衝剤。
【請求項７】
２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドを、花粉を雌しべに塗布する前、後又は同時に、前記雌しべの根元から先端の間のいずれかに塗布することを特徴とする植物の人工授粉方法。
【請求項８】
２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドを、花粉を含む人工授粉溶液に混合して、雌しべに塗布することを特徴とする植物の人工授粉方法。
【発明の詳細な説明】
【技術分野】
【０００１】
この発明は、人体等の生体内に棲息する超微生物であるソマチッドを利用した人工授精方法、冷凍緩衝剤及び人工授粉方法に関する。
【背景技術】
【０００２】
ソマチッドは、例えば非特許文献１に記載されるように、人体内、主として血液内のソマチッドは、図１１に参照されるように、原始相ソマチッド１から、胞子２、二重胞子３、バクテリア形態４、二重バクテリア形態５、棒状形態６、二重胞子を持つバクテリア形態７、粒状の二重胞子を持つバクテリア形態８、球状の細菌形態９、１０、破裂状態１１、酵母形態１２、子のう胞子形態１３、子のう形態１４、菌糸体形態１５、菌糸体破裂状態１６を経て、最初の原始相ソマチッド１に戻るいわゆるソマチッドサイクルを繰り返すとされている。
【０００３】
前記子のう形態１３からは、環境が良好でない場合、符号１７Ａ、１７Ｂで示される耐性菌糸体形態になる。又、菌糸体形態１５からは、環境が良好でない場合、符号１８で示される繊維状の葉状体となる。
【０００４】
健康状態も良く、特に免疫力の高い人の血液中で、ソマチッドは殆んど原始相である。このような状態から、例えば、人が、強い薬剤を飲んだり、アルコール類を飲用した場合には、原始相ソマチッド１は血小板や赤血球の内部に入り込む。即ち、ソマチッドにとって環境が不利に働いた結果、一時的に、血小板や赤血球内に避難していると考えられている。更には、バクテリア形態４以降の状態となる。
【０００５】
上記原始相ソマチッド１は、血液中にあるとき、生体内のあらゆるところに自在に侵入することが可能であり、具体的には、細胞膜を通って、内部のミトコンドリアまで到達し、このミトコンドリアに電子を供給して、クエン酸サイクルのトリガとしていると考えられている。
【０００６】
一般的に、原始相ソマチッドが血液中に多量に存在したとき、その原始相ソマチッドの上記のようなミトコンドリアとの関係から、生体の免疫力はかなり向上する。
【０００７】
しかしながら、上記のように、血液の僅かな変化によって、ソマチッドは、退避行動を示したり、場合によっては、自ら殻を形成して、その内部に多量に避難してしまうので、例えば、自然界から抽出した原始相ソマチッドを多量に摂取した場合でも、環境の僅かな変化によってソマチッド本来の機能を充足することができない状態となってしまう。
【０００８】
本発明者等は、動物の受精、植物の受粉に際して、上記のようなソマチッドが関与し、この精液中に含まれるソマチッドあるいは花粉に含まれるソマチッドの数が少ない場合や、その活性が低い場合は、受精や受粉の成功率が低下することを見出した。
【０００９】
【非特許文献１】ガストンネサン著、完全なる治癒（発行所：徳間書店）
【発明の開示】
【発明が解決しようとする課題】
【００１０】
本発明者は、２０００〜２５００万年前の貝化石に古代ソマチッドが存在することを見出し、その研究の結果、古代のソマチッドが、生体内の環境変化に強く、人が日常生活において受ける血液の環境変化、例えば飲酒、薬剤の摂取等によっても、退避行動を示さないことを見出した。
【００１１】
又、本発明者等は、古代ソマチッドを精液に混ぜて人工授精したり、花粉に混ぜて人工授粉すると、受精若しくは受粉の成功率が高くなることを見出した。
【００１２】
又、家畜、例えば牛の人工授精の場合、予め採取して、液体窒素によって凍結しておいた精子を牝牛に注入するが、この精子を凍結する際に用いる冷凍緩衝剤に、古代ソマチッドを混合させると、受精の成功率が高まることを見出した。
【００１３】
この発明は、本発明者等の鋭意研究の結果、貝化石から取り出した古代ソマチッドを用いることによって、人工授精及び人工授粉の成功率を高める方法、及び冷凍精子を用いた人工授精の際に、受精の成功率を高めることのできる冷凍緩衝剤を見出した。
【課題を解決するための手段】
【００１４】
即ち、以下のような人工授精方法、冷凍緩衝剤、及び、人工授粉方法によって上記目的を達成することができる。
【００１５】
（１）精子を含む精液に古代ソマチッドを混合して混合精液とし、この混合精液を、卵子に接触させて受精させることを特徴とする動物の人工授精方法。
【００１６】
（２）前記精液を、古代ソマチッドを含む冷凍緩衝剤と共に冷結させておき、授精時に解凍させることを特徴とする（１）に記載の動物の人工授精方法。
【００１７】
（３）前記古代ソマチッドは、２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドからなることを特徴とする（１）又は（２）に記載の動物の人工授精方法。
【００１８】
（４）前記古代ソマチッド含有水に、酢酸、希塩酸、クエン酸、リンゴ酸を含む、人体に無害な弱酸のいずれか少なくとも一種類を溶かした弱酸性水を加えて、古代ソマチッド水をＰＨ７．５程度の弱アルカリとすることを特徴とする（１）乃至（３）のいずれかに記載の動物の人工授精方法。
【００１９】
（５）２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状のソマチッドを含む精子冷凍保存用冷凍緩衝剤。
【００２０】
（６）前記古代ソマチッド含有水に、酢酸、希塩酸、クエン酸、リンゴ酸を含む、人体に無害な弱酸のいずれか少なくとも一種類を溶かした弱酸性水を加えて、古代ソマチッド水をＰＨ７．５程度の弱アルカリとすることを特徴とする（５）に記載の精子冷凍保存用冷凍緩衝剤。
【００２１】
（７）２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドを、花粉を雌しべに塗布する前、後又は同時に、前記雌しべの根元から先端の間のいずれかに塗布することを特徴とする植物の人工授粉方法。
【００２２】
（８）２０００〜２５００万年前に棲息したカミオニシキ貝の化石である貝化石を０．１〜５μｍの粒径とし、この微粒子の貝化石１ｇに対して少なくとも５ｃｃの割合で水と混合し、前記微粒子と水の混合液を少なくとも４時間保持してから、炭酸カルシウムを主成分とする沈殿物から分離した上澄液からなる古代ソマチッド含有水、又は、これから抽出した粉末状の古代ソマチッドを、花粉を含む人工授粉溶液に混合して、雌しべに塗布することを特徴とする（７）に記載の植物の人工授粉方法。
【発明の効果】
【００２３】
この発明によれば、人工授精の際の精液中に古代ソマチッドを混合させておくことによって、受精の成功率を高めることができる。又、精子を冷凍保存する際の冷凍緩衝剤に古代ソマチッドを含むようにすると、受精の成功率を高めることができる。更に、花粉を含む人工授粉溶液に古代ソマチッドを混合して授粉させることによって、人工授粉の成功率を高めることができる。
【発明を実施するための最良の形態】
【００２４】
最良の実施の形態に係る動物の人工授精方法は、カミオニシキ貝の化石である貝化石の微粒子と水、例えばマイナスイオン水を混合して、沈殿物と上澄液とに分離し、この上澄液を古代ソマチッド含有水として、人工授精の際の精液に混合して、卵子に接触させることにより上記目的を達成するものである。
【００２５】
又、上記のような古代ソマチッド含有水あるいはこれから抽出した粉末状の古代ソマチッドとを、花粉を含む人工授粉溶液に混合して、雌しべに塗布することによって上記目的を達成するものである。更に、古代ソマチッド含有水を混合して精子冷凍保存用冷凍緩衝剤を構成することによって、上記目的を達成するものである。
【実施例１】
【００２６】
次に、本発明の実施例１に係る人工授精方法を、図１（フローチャート）を参照して説明する。
【００２７】
ステップ１０１において、約２０００〜２５００万年前に棲息したカミオニシキ貝の化石（以下貝化石）を、０．１〜５μｍの粒径の微粒子に加工する。
【００２８】
次にステップ１０２において、前記微粒子の貝化石１ｇに対して少なくとも５ｃｃの割合で、水と混合する。
【００２９】
ステップ１０３では、前記微粒子と水の混合液を、例えばガラス容器内に、少なくとも４時間保持する。
【００３０】
次のステップ１０４では、前記少なくとも４時間を経過した混合液から、炭酸カルシュウムを主成分とする沈殿物と上澄液とを、例えばフィルタにより分離して、ステップ１０５において容器に入れて、上澄液を古代ソマチッド含有水とする。
【００３１】
この古代ソマチッド含有水には原始相の古代ソマチッドが含まれていて、例えば加熱や放置により、水分を蒸発させることができるが、この場合、古代ソマチッドは、環境の変化によって、その形態を原始相ソマチッド以外の他の形態に変化する恐れがある。従って、古代ソマチッドは、古代ソマチッド含有水のままで保持するのが良い。
【００３２】
前記カミオニシキ貝は、現代の帆立貝に似た２枚貝であり、貝化石の中では、貝殻の基質を利用して殻を作って、その中で休眠状態となっていることが、本発明者によって見出された。
【００３３】
この古代ソマチッドは、化石となる前には、カミオニシキ貝の肉質部で活動していたものであり、共生していたカミオニシキ貝の細胞死に際して、その避難し休眠する場所を貝殻部分に求めたものと推定される。
【００３４】
上記のように、貝化石を、０．１〜５μｍの粒径の微粒子とする意味は、粒径が５μｍを超えた場合は、複数のソマチッドがその内部にいる殻の表面を暴露することが困難であり、当然、６μｍあるいはそれ以上であってもいくらかの殻の表面が微粒子の表面に現われているが、その場合は、殻の中から古代ソマチッドを回収する歩留まりが大幅に低下してしまう。微粒子の粒径が５μｍの場合は、ほぼ確実に、ソマチッドが休眠している殻を微粒子の表面に露出させることができるので、回収率が高い。
【００３５】
又、貝化石を０．１μｍ以上の粒径の微粒子とする理由は、このような炭酸カルシュウムを主成分とする貝化石等を０．１μ以下とする粉砕微粒子化作業は非常に高コストとなり、且つ、特殊な装置を用いなければ粒径を小さくすることができないからである。
【００３６】
又、微粒子と水の混合液を少なくとも４次間以上保持する工程は、理想的には２４時間であるが、４時間保持すれば、かなりの歩留まりで殻の中から原始相の古代ソマチッドが現われるからである。
【００３７】
ステップ１０６では、例えば雄牛から採取した精子を含む精液に、前記古代ソマチッド含有水を混合して、混合精液とする。
【００３８】
ステップ１０７では、例えば、酢酸、希塩酸、クエン酸、リンゴ酸を含む生体あるいは精子に無害な弱酸のいずれか少なくとも１種類を前記混合精液に混合して、そのＰＨを弱アルカリ（７．５程度）に調整する。
【００３９】
何故なら、貝化石は炭酸カルシウムを主成分としているが、長い間、熱や圧力によって酸化カルシウム（ＣａＯ）に変性していることがあり、この場合、ＣａＯを水に接触させると、強いアルカリ性を示すので、精子の生存に最適な弱アルカリ性に調整する必要がある。
【００４０】
ステップ１０８では、前記のように、ＰＨを調整した混合精液を卵子に接触させて受精させる。なお、ステップ１０６で、混合精液とする前に、古代ソマチッド含有水に弱酸を加えてＰＨを調整してもよい。このようにすれば古代ソマチッド含有水が強いアルカリの場合の、精子の損傷を防止できる。
【００４１】
ここで、理想的には、前記微粒子と混合する水は、マイナスイオン水とするのが良い。このマイナスイオン水は、１ｃｃ中のマイナスイオン数が８００００〜１５００００程度とされているのが良い。
【００４２】
マイナスイオン水とすると、このマイナスイオン水中に多量に含まれる電子が、古代ソマチッドの餌となるので、古代ソマチッドにとっては、マイナスイオン水は良好な環境となる。このため、古代ソマチッドは殻を破って容易にマイナスイオン水中に飛び出してくる。
【００４３】
又、このマイナスイオン水は、具体的には、ブラックシリカと称されるケイ素を主成分とする化石を、粒径が５〜１０μｍの粒子として、この粒子に少なくとも２時間水を接触させることによって形成すると良い。このブラックシリカの微粒子は、多量の電子を放出するので、これに接触する水は、迅速にマイナスイオン水となる。
【００４４】
なお、上記マイナスイオン水は、例えば、市販のアルカリイオン整水器等を利用して形成しても良いが、本発明者の実験によれば、ブラックシリカの粒子によって形成したマイナスイオン水が最も良い結果をもたらした。
【００４５】
又、前記貝化石の微粒子と混合する水に、酢酸、希塩酸、クエン酸、リンゴ酸を含む、人体に無害な弱酸のいずれか少なくとも一種類を溶かしておくと良い。
【００４６】
本発明者の実験によれば、これらの弱酸を溶かした水と貝化石の微粒子とを混合すると、ブラックシリカによるマイナスイオン水ほどではないが、効率良く、原始相の古代ソマチッドを採取することができた。
【実施例２】
【００４７】
次に、図２を参照して、本発明の実施例２に係る動物の人工授精方法について説明する。
【００４８】
この人工授精方法は、ステップ２０１において、冷凍緩衝剤に古代ソマチッド含有水を混合させて古代ソマチッド含有冷凍緩衝剤を形成し、次のステップ２０２において、この古代ソマチッド含有冷凍緩衝剤を、前記精液と共に凍結させ、ステップ２０３において、この凍結した精液を解凍させて、前記図１におけるステップ１０８に進むようにしたものである。
【００４９】
ここで、前記冷凍緩衝剤は、精子を凍結保存して、且つ解凍後の精子の高い運動率、生存率を維持させるためのものであって、グリセリンやグルコース等を主成分とするものである。
【００５０】
このように、予め、古代ソマチッドを含む冷凍緩衝剤と共に精液を凍結させておくと、解凍して卵子に接触させたとき、古代ソマチッドの活性により、受精率を向上させることができる。
【実施例３】
【００５１】
次に、図３を参照して本発明の実施例３に係る人工授粉方法について説明する。
【００５２】
ステップ３０１において、授粉可能な状態の花粉を採取する。このとき、例えば、真空吸入装置を用いて、花粉を乾燥した状態で吸入し、且つフィルタによって空気と分離して採取する。
【００５３】
次に、ステップ３０２において、前記のように形成された古代ソマチッド含有水を雌しべの根元に塗布あるいは滴下する。
【００５４】
次のステップ３０３において、前記採取した花粉を雌しべに付着させる。この付着作業は、綿毛状の塗布部材（図示省略）により雌しべに付着させる。
【００５５】
なお、前記古代ソマチッド含有水の塗布あるいは滴下は、花粉を雌しべに付着した後であってもよいし、雌しべの根元以外の個所でもよい。
【００５６】
上記のように、授粉の際に、ソマチッド含有水を雌しべの根元あるいはその他の個所に塗布あるいは滴下すると、ソマチッド含有水中の古代ソマチッドが、雌しべの根元の細胞壁を通って内側に入り込み、種子部に容易に到達する。ここには、前記花粉も到達して授粉がなされる。
【００５７】
前記種子部に到達した古代ソマチッドは、ここでのタンパク質の合成を促進し、このタンパク質は、発芽のための酵素に転換される。
【００５８】
一般に、植物は種子及び果実部を除きタンパク質を含まないが、種子及び果実部には、このソマチッドが関与して、発芽のための酵素となるタンパク質が合成される。従って、種子にソマチッドが多く含まれると、その種子の生命力は強くなる。
【００５９】
なお、上記実施例において、古代ソマチッド含有水を用いているが、本発明はこれに限定されるものでなく、古代ソマチッド含有水から、ソマチッドを多量に含む粉末を用いてもよい。粉末状の古代ソマチッドを利用する場合は、雌しべに花粉と同時又は前後して粉末状の古代ソマチッドを付着させる。
【００６０】
前記古代ソマチッド含有水から粉末状の古代ソマチッドを形成するには、次の手順によるとよい。
【００６１】
まず、図４に示されるように、ステップ４０１において、古代ソマチッド含有水を乾燥して結晶状粉末とし、次のステップ４０２において、この結晶状粉末を蒸留水に入れ、次のステップ４０３において、この粉末の入った蒸留水にブドウ糖と石炭酸を入れて濾過し、ステップ４０５において、ソマチッドを含有する結晶状粉末とする。
【００６２】
[例]
本発明者は、貝化石の微粒子と、マイナスイオン水とを接触させて、その上澄液から古代ソマチッド含有水を形成し、それを、位相差顕微鏡によって観察した。
【００６３】
その観察結果は、図５〜１０に示される。
【００６４】
これらの図に示されるように、古代ソマチッド３０は原始相であって、その大きさは約１５０ｎｍであり、図５の状態から図６の状態、図６から図７の状態のいずれの場合でも、約２秒の間隔で撮影したものであり、原始相の古代ソマチッドが活発に移動していることが分かる。この場合、本発明者の観測によれば、移動速度は図５から図６で秒速１０μｍ、図６から図７では秒速１μｍ程度である。なお、古代ソマチッド３０の周囲は粒子状炭酸カルシウムの集合体である。
【００６５】
又、本発明者が、原始相であることを確認した古代ソマチッドを含む水に、前記炭酸カルシュウム等の沈殿物を加え、且つここにアルコールを水１ｃｃに対して１００％エチルアルコール５ｃｃを注入しても、原始相の古代ソマチッドは、その移動を停止することがなかった。これに対して現代人の血液から採取したソマチッドに同様の試験を行なうと、現代ソマチッドは、その動きを全く停止してしまった。
【００６６】
図８〜１０は、直径２μｍの殻を被ったままの原始相の古代ソマチッド３２を２秒間隔で位相差顕微鏡で、撮影したものであるが、これらから、古代ソマチッドが、５μｍ／秒で移動していることが分る。
【図面の簡単な説明】
【００６７】
【図１】本発明の実施例１に係る人工授精方法を示すフローチャート
【図２】実施例２に係る人工授精方法を示すフローチャート
【図３】実施例３に係る人工授粉方法を示すフローチャート
【図４】古代ソマチッド含有水から結晶形状の粉末の古代ソマチッドを形成する方法を示すフローチャート
【図５】原始相古代ソマチッドの、位相差顕微鏡による観察結果を示す写真
【図６】同写真から２秒後のソマチッドを撮影した写真
【図７】更に２秒後のソマチッドを撮影した写真
【図８】殻付原始相古代ソマチッドの、位相差顕微鏡による観察結果を示す写真
【図９】同写真から２秒後のソマチッドを撮影した写真
【図１０】更に２秒後のソマチッドを撮影した写真
【図１１】ソマチッドサイクルを模式的に示す平面図
【図１】
2006320658.tif 000003
【図２】
2006320658.tif 000004
【図３】
2006320658.tif 000005
【図４】
2006320658.tif 000006
【図１１】
2006320658.tif 000007
【図５】
2006320658.tif 000008
【図６】
2006320658.tif 000009
【図７】
2006320658.tif 000010
【図８】
2006320658.tif 000011
【図９】
2006320658.tif 000012
【図１０】
2006320658.tif 000013